(57)【要約】      （修正有）【課題】本発明の目的とするところは、アプリケーションを通じて創出された収益を効率よく配分する収益配分方法及びそれを用いた収益配分システムを提供することにある。【解決手段】収益配分方法が開示される。本収益配分方法は、ユーザ装置で、コンテンツを提供するメインアプリケーション及びメインアプリケーションに関連する付加機能を提供するサブアプリケーションを実行するステップ２０２と、サブアプリケーションを通じて収益創出イベントが発生２０４すると、ユーザ装置から収益創出イベントに関連するコンテキスト情報を検索するステップ２０６と、サーバに、検索されたコンテキスト情報に基づいて、収益配分客体に対して収益創出イベントによる収益の配分比率を決定するステップ２０８と、決定された配分比率に応じて収益創出イベントによる収益を配分するステップ２１０とを含む。【選択図】図２
2012234545.tif 000002
【特許請求の範囲】
【請求項１】
ユーザ装置及びサーバを含むシステムの収益配分方法において、
前記ユーザ装置で、コンテンツを提供するメインアプリケーション及び前記メインアプリケーションに関連する付加機能を提供するサブアプリケーションを実行するステップと、
前記サブアプリケーションを通じて収益創出イベントが発生すると、前記ユーザ装置から前記収益創出イベントに関連するコンテキスト情報を検索するステップと、
前記サーバで、前記検索されたコンテキスト情報に基づいて、収益配分客体に対して前記収益創出イベントによる収益の配分比率を決定するステップと、
前記決定された配分比率に応じて前記収益創出イベントによる収益を配分するステップと
を含む収益配分方法。
【請求項２】
前記コンテキスト情報は、
前記メインアプリケーション、前記サブアプリケーション、前記コンテンツ、ユーザ、前記ユーザ装置、前記ユーザ装置の周辺環境、前記収益配分客体間の契約関係及び前記ユーザ又は前記ユーザ装置のソーシャルネットワーキングデータのうち、少なくともいずれか一つに対する情報であることを特徴とする請求項１に記載の収益配分方法。
【請求項３】
前記コンテンツに対するコンテキスト情報は、前記コンテンツのメタデータに含まれることを特徴とする請求項２に記載の収益配分方法。
【請求項４】
前記サブアプリケーションは、前記コンテンツに関連するコンテキスト情報の提供、又は前記コンテンツに関連する商品の広告又は購入機能を提供することを特徴とする請求項１ないし３のいずれか一項に記載の収益配分方法。
【請求項５】
前記収益創出イベントは、
前記サブアプリケーションを通じた商品の購入又は商品購入のための広告の提供であることを特徴とする請求項１ないし４のいずれか一項に記載の収益配分方法。
【請求項６】
前記収益配分客体は、
アプリケーションストア、メインアプリケーションパートナー及びサブアプリケーションパートナーのうち、少なくとも一つであることを特徴とする請求項１ないし５のいずれか一項に記載の収益配分方法。
【請求項７】
前記収益配分客体は、
少なくとも一つのユーザを更に含むことを特徴とする請求項６に記載の収益配分方法。
【請求項８】
サーバと接続されたユーザ装置において、
コンテンツを提供するメインアプリケーション及び前記メインアプリケーションに関連する付加機能を提供するサブアプリケーションを実行するアプリケーション実行部と、
前記サブアプリケーションを通じた収益創出イベントが発生するか否かを検知する収益創出イベント検知部と、
前記収益創出イベントが発生すると、前記収益創出イベントに関連するコンテキスト情報を検索するコンテキスト検索部と、
前記検索されたコンテキスト情報をサーバに伝送するインターフェース部と
を含むユーザ装置。
【請求項９】
前記コンテキスト情報は、
前記メインアプリケーション、前記サブアプリケーション、前記コンテンツ、ユーザ、前記ユーザ装置、前記ユーザ装置の周辺環境、前記収益配分客体間の契約関係及び前記ユーザ又は前記ユーザ装置のソーシャルネットワーキングデータのうち、少なくともいずれか一つに対する情報であることを特徴とする請求項８に記載のユーザ装置。
【請求項１０】
前記サブアプリケーションは、前記コンテンツに関連するコンテキスト情報の提供、又は前記コンテンツに関連する商品の広告又は購入機能を提供することを特徴と請求項８又は９に記載のユーザ装置。
【請求項１１】
前記収益創出イベントは、
前記サブアプリケーションを通じた商品の購入又は商品購入のための広告の提供であることを特徴とする請求項８ないし１０のいずれか一項に記載のユーザ装置。
【請求項１２】
ユーザ装置に接続されたサーバにおいて、
前記ユーザ装置から収益創出イベントに関連するコンテキスト情報を受信するインターフェース部と、
前記受信されたコンテキスト情報に基づいて収益配分客体に対して前記収益創出イベントによる収益の配分比率を決定し、決定された配分比率に応じて収益を配分する収益配分部と
を含むサーバ。
【請求項１３】
ユーザ装置の制御方法において、
コンテンツを提供するメインアプリケーション及び前記メインアプリケーションに関連する付加機能を提供するサブアプリケーションを実行するステップと、
前記サブアプリケーションを通じて収益創出イベントが発生すると、前記収益創出イベントに関連するコンテキスト情報を検索するステップと、
前記検索されたコンテキスト情報を外部装置に伝送するステップと
を含む制御方法。
【請求項１４】
サーバの収益配分方法において、
外部装置で、メインアプリケーション及び前記メインアプリケーションに関連する付加機能を提供するサブアプリケーションが駆動中である状態で、前記サブアプリケーションを通じた収益創出イベントが発生すると、前記収益創出イベントに関連するコンテキスト情報を受信するステップと、
前記受信されたコンテキスト情報に基づいて、収益配分客体に対する前記収益創出イベントによる収益の配分比率を決定するステップと、
前記決定された配分比率に応じて前記収益を配分するステップと
を含む収益配分方法。
【請求項１５】
請求項１ないし７、請求項１３及び１４のうちいずれか一項に係る方法を行うようにプログラミングされたプログラムコードが保存された保存媒体。
【発明の詳細な説明】
【技術分野】
【０００１】
本発明は、収益配分方法及びそれを用いた収益配分システムに関し、より詳細には、アプリケーションストアを通じた収益配分方法及びそれを用いた収益配分システムに関する。
【背景技術】
【０００２】
最近、技術の発展により、多様な装置を通じて多様なコンテンツを再生することが可能になっている。特に、現在のユーザ装置は、従来の単にコンテンツを提供するものとは違って、多様なアプリケーションが設置されユーザにより多様な機能を提供できる環境が整っている。
【０００３】
具体的に、コンテンツの再生と同時にインターネット検索を行うことができる装置があり、ユーザはインターネット検索を通じて現在再生中のコンテンツの関連情報を得ることができ、又は、ユーザ装置が自動的にそのような情報を提供することもできる。このような機能は、再生装置に適用可能な多様なアプリケーションを通じて提供されることができる。
【０００４】
現在、このようなアプリケーションを通じた収益は、例えば、アプリケーションストア所有者がアプリケーション販売収益の３０％を、アプリケーション開発者は７０％を占めるといった形で一次元的に配分されている。
【０００５】
しかし、アプリケーションを通じた収益は、アプリケーションの購入だけでなく、多様なルートから発生する。例えば、ユーザがアプリケーションを用いて映画を視聴していて、映画に登場する小道具や場所などの情報の提供を受けることができ、なお、ユーザは提供された情報に基づいてリアルタイムで映画に登場する小道具などを購入することもできる。
【０００６】
現在の収益配分方式では、このような様々なルートの新規収益を効率よく配分することができないという問題が生じるおそれがある。
【先行技術文献】
【特許文献】
【０００７】
【特許文献１】米国特開第２０１０−０１７５１１８号公報
【特許文献２】韓国特開第２０１１−００２９３８６号公報
【特許文献３】韓国特開第２００７−００２２３９７号公報
【特許文献４】韓国特開第２０１０−０１３８４８６号公報
【発明の概要】
【発明が解決しようとする課題】
【０００８】
そこで、本発明は、上記問題に鑑みてなされたものであり、本発明の目的とするところは、アプリケーションを通じて創出された収益を効率よく配分する収益配分方法及びそれを用いた収益配分システムを提供することにある。
【課題を解決するための手段】
【０００９】
以上の目的を達成するための本発明の一実施形態に係るユーザ装置及びサーバを含むシステムの収益配分方法は、前記ユーザ装置で、コンテンツを提供するメインアプリケーション及び前記メインアプリケーションに関連する付加機能を提供するサブアプリケーションを実行するステップと、前記サブアプリケーションを通じて収益創出イベントが発生すると、前記ユーザ装置から前記収益創出イベントに関連するコンテキスト情報を検索するステップと、前記サーバで、前記検索されたコンテキスト情報に基づいて、収益配分客体に対して前記収益創出イベントによる収益の配分比率を決定するステップと、前記決定された配分比率に応じて前記収益創出イベントによる収益を配分するステップとを含む。
【００１０】
ここで、前記コンテキスト情報は、前記メインアプリケーション、前記サブアプリケーション、前記コンテンツ、ユーザ、前記ユーザ装置、前記ユーザ装置の周辺環境、前記収益配分客体間の契約関係及び前記ユーザ又は前記ユーザ装置のソーシャルネットワーキングデータのうち、少なくともいずれか一つに対する情報であってよい。
【００１１】
そして、前記コンテンツに対するコンテキスト情報は、前記コンテンツのメタデータに含まれてよい。
【００１２】
なお、前記サブアプリケーションは、前記コンテンツに関連するコンテキスト情報の提供、又は前記コンテンツに関連する商品の広告又は購入機能を提供してよい。
【００１３】
前記収益創出イベントは、前記サブアプリケーションを通じた商品の購入又は商品購入のための広告を提供するものであってよい。
【００１４】
そして、前記収益配分客体は、アプリケーションストア、メインアプリケーションパートナー及びサブアプリケーションパートナーのうち少なくとも一つであってよく、少なくとも一つのユーザを更に含んでよい。
【００１５】
本発明の一実施形態に係るサーバと接続されたユーザ装置は、コンテンツを提供するメインアプリケーション及び前記メインアプリケーションに関連する付加機能を提供するサブアプリケーションを実行するアプリケーション実行部と、前記サブアプリケーションを通じた収益創出イベントが発生するか否かを検知する収益創出イベント検知部と、前記収益創出イベントが発生すると、前記収益創出イベントに関連するコンテキスト情報を検索するコンテキスト検索部と、前記検索されたコンテキスト情報をサーバに伝送するインターフェース部とを含む。
【００１６】
ここで、前記コンテキスト情報は、前記メインアプリケーション、前記サブアプリケーション、前記コンテンツ、ユーザ、前記ユーザ装置、前記ユーザ装置の周辺環境、前記収益配分客体間の契約関係及び前記ユーザ又は前記ユーザ装置のソーシャルネットワーキングデータのうち、少なくともいずれか一つに対する情報であってよい。
【００１７】
なお、前記コンテンツに対するコンテキスト情報は、前記コンテンツのメタデータに含まれてよい。
【００１８】
そして、前記サブアプリケーションは、前記コンテンツに関連するコンテキスト情報の提供、又は前記コンテンツに関連する商品の広告又は購入機能を提供してよい。
【００１９】
前記収益創出イベントは、前記サブアプリケーションを通じた商品の購入又は商品購入のための広告を提供するものであってよい。
【００２０】
一方、本発明の一実施形態に係るユーザ装置に接続されたサーバは、前記ユーザ装置から収益創出イベントに関連するコンテキスト情報を受信するインターフェース部と、前記受信されたコンテキスト情報に基づいて収益配分客体に対して前記収益創出イベントによる収益の配分比率を決定し、決定された配分比率に応じて収益を配分する収益配分部とを含んでよい。
【００２１】
ここで、前記収益配分客体は、アプリケーションストア、メインアプリケーションパートナー及びサブアプリケーションパートナーのうち少なくとも一つであってよく、前記収益配分客体は、少なくとも一つのユーザを更に含んでよい。
【００２２】
本発明の一実施形態に係るユーザ装置の制御方法は、コンテンツを提供するメインアプリケーション及び前記メインアプリケーションに関連する付加機能を提供するサブアプリケーションを実行するステップと、前記サブアプリケーションを通じて収益創出イベントが発生すると、前記収益創出イベントに関連するコンテキスト情報を検索するステップと、前記検索されたコンテキスト情報を外部装置に伝送するステップとを含んでよい。
【００２３】
本発明の一実施形態に係るサーバの収益配分方法は、外部装置で、メインアプリケーション及び前記メインアプリケーションに関連する付加機能を提供するサブアプリケーションが駆動中である状態で、前記サブアプリケーションを通じた収益創出イベントが発生すると、前記収益創出イベントに関連するコンテキスト情報を受信するステップと、前記受信されたコンテキスト情報に基づいて、収益配分客体に対する前記収益創出イベントによる収益の配分比率を決定するステップと、前記決定された配分比率に応じて前記収益を配分するステップとを含んでよい。
【００２４】
一方、本発明の多様な実施形態に係る方法は、上述の方法を行うようにプログラミングされたプログラムコードが保存された保存媒体に保存されて行なわれてよい。
【発明の効果】
【００２５】
以上説明したように本発明によれば、多様なルートを通じて創出された収益が収益創出の流れに係わった収益配分客体に適切に配分されることが可能となる。
【図面の簡単な説明】
【００２６】
【図１】本発明の一実施形態に係る収益配分システムについて説明するための図である。
【図２】本発明の一実施形態に係る方法を示すフローチャートである。
【図３】本発明の一実施形態に係る装置の構成を示すブロック図である。
【図４】本発明の別の実施形態に係る装置の構成を示すブロック図である。
【図５】本発明の更に別の実施形態に係るユーザ装置の構成を示すブロック図である。
【図６】本発明の更に別の実施形態に係るサーバの構成を示すブロック図である。
【図７】本発明の別の実施形態に係るシステムの収益配分方法を示すフローチャートである。
【図８】本発明の一実施形態に係るユーザ装置の制御方法を示すフローチャートである。
【図９】本発明の一実施形態に係るサーバの収益配分方法を示すフローチャートである。
【発明を実施するための形態】
【００２７】
以下に添付図面を参照しながら、本発明の好適な実施形態について詳細に説明する。
本発明は、“サブアプリケーション”に関し、サブアプリケーションはユーザ装置によって実行されてユーザに情報を提供することができる。このようなサブアプリケーションは、サブアプリケーションパートナーに、ユーザに提供するための情報を要請するために、コンテキスト情報を用いることができる。コンテキスト情報は、コンテンツ自体、ユーザ、ユーザ装置、一般的な環境又はソーシャルネットワークに対する情報を含む。ユーザに提供するための情報がサブアプリケーションパートナーから受信されると、ユーザ装置に表示されてよい。このような方式で、サブアプリケーションは現在再生中のコンテンツに関連する情報を自動的に検索し、コンテンツが再生される際、視聴者に情報をディスプレイする機能を提供する。
【００２８】
なお、コンテキスト情報は、収益配分のための情報として用いられてよい。コンテキスト情報に応じて収益配分客体に対する配分額は流動的に（Ｄｙｎａｍｉｃａｌｌｙ）変更されてよい。サブアプリケーションフレームワークは、相互分離されているメインアプリケーションパートナー、サブアプリケーションパートナー、そしてユーザの間に“トルブリッジ（Ｔｏｌｌ  ｂｒｉｄｇｅｓ）”を作り出す。このような各々のトルブリッジは新たな方式の収益配分方法を提供することができる。多様なコンテキスト情報に基づいて、多様な収益創出ルートに対して最適化した収益配分方法を提供しつつ、時間又は状況に応じて流動的に変更されてよい。
【００２９】
コンテキスト情報は、複数個のソースを通じて検索されてよい。このようなソースの一つとしては、ユーザ装置によって再生されるコンテンツ（又はメディア）がある。このようなコンテキスト情報は、「コンテンツコンテキスト情報」であり、コンテンツに対するいかなる情報であっても含まれてよい。コンテンツコンテキスト情報は、コンテンツに含まれたメタデータであってよい。コンテンツがテレビ番組コンテンツである場合、このコンテンツコンテキスト情報は、番組ストリーム内に挿入されてよい。ＯＴＴ（Ｏｖｅｒ  Ｔｈｅ  Ｔｏｐ）、ＶＯＤ（Ｖｉｄｅｏ  Ｏｎ  Ｄｅｍａｎｄ）映像又は写真において、コンテンツコンテキスト情報は、ダウンロードされたコンテンツファイル内に暗号化されているか、又は、個別に伝送されてよい。ＤＶＤ又はＢｌｕ−Ｒａｙディスクの場合、コンテンツコンテキスト情報はディスク自体（専用メタデータファイルの内部）に暗号化されているか、又は外部のＧＤ３識別データベースを使用するというように外部でも利用可能である。ハードディスクドライブに保存された一般的な映像、写真又は音楽ファイルは、ｍｐ３ファイル内部にあるＩＤ３メタデータ、デジタルカメラのｘｉｆファイルのように、ファイルの内部にメタデータ情報を含んでよい。Ｄｉｇｉｔａｌ  Ｌｉｖｉｎｇ  Ｎｅｔｗｏｒｋ  Ａｌｌｉａｎｃｅ（ＤＬＮＡ）ストリームの場合、内蔵されたメタデータに含まれてよい。コンテンツコンテキスト情報は、例えば、タイトル、ジャンル、俳優、監督、上映時間、画面情報、音楽トラック、作曲家、そして作家等の情報が含まれてよい。ソーシャルネットワーキングウェブサイト又はビデオストリーミングウェブサイトから得られる更なるファイルストリームが利用されてよい。ニュース、地図、ゲーム等のコンテンツではないアプリケーションから得られるファイル又はコンテンツコンテキスト情報として利用されてよい。
【００３０】
本発明における「コンテンツ提供者（又はコンテンツ提供業者）」という用語は、ユーザが望む情報やサービスを提供するいずれの客体も含められる広い範囲で解釈されてよい。コンテンツ提供者は、原文情報、グラフィック情報、ショッピング能力、マッピングツール等を含んでよい。なお、この用語はサービス提供者だけでなく、映画スタジオや流通業者、テレビ放送局、ウェブサイトのように伝統的なコンテンツ提供者を含んでよい。一部では、“サービス提供者”と“コンテンツ提供者”を区別したりもするが、コンテンツ提供とサービス提供との境界を明確に区別しないことが多く、本発明における“コンテンツ提供者”という用語はこのようなすべての提供者をまとめた概念として解釈すべきである。
【００３１】
本発明における「コンテンツ」という用語は、一般的な映像、写真、文字だけでなく、ユーザが見聞きできる情報を含む広い範囲で解釈されてよい。従って、例えば、「コンテンツ」はニュースリーダー（Ｎｅｗｓｒｅａｄｅｒ）アプリケーションにある文字、マッピングアプリケーションにある地図、又はゲームアプリケーションにあるグラフィックを含んでよい。従って、「コンテンツコンテキスト」もこのような広い範囲のコンテキスト情報を含んでよい。「メインアプロケーションコンテンツ」は、ライブテレビ、メディアプレーヤ、サブアプリケーションの検索結果、ＤＶＤ、ＨＤＭＩポート等を含む多様なソースに基づいてよい。
【００３２】  本発明における「サブアプリケーション」という用語は、ユーザ装置に設置され得るいずれのアプリケーションを含む広い範囲で解釈されてよい。しかし、いくつかの実施形態では、サブアプリケーションは他のアプリケーション又はサービスと接続され、メインアプリケーション又はサービス内の一部機能（マイクロ機能又はサービス）を提供するものであってよい。例えば、（公序良俗違反につき、不掲載）アプリケーションは、（公序良俗違反につき、不掲載）.ｃｏｍマーケットにフル（Ｆｕｌｌ）ユーザインターフェースを提供することができるが、（公序良俗違反につき、不掲載）サブアプリケーションは単に限られた一部機能（例えば、コンテキスト情報及び制限された購入能力等に基づいた自動検索機能）しか提供できない。一部機能とは、「カートに入れる」又は「ほしい物リストに追加」等のようなたった一つの動作を行う機能のことをいう。
【００３３】
メインアプリケーションの概念は日々発展を遂げている。一般的にメインアプリケーションは独立して実行可能なソフトウェアアプリケーションを意味するが、多くの新規モバイルアプリケーションはユーザ装置にダウンロード又は保存されるよりは、ユーザ装置で自然に動作され得るＨＴＭＬページを意味することもある。このような現象がテレビアプリケーションでも生じ得るし、アプリケーションストアからテレビにアプリケーションをダウンロードしたり保存するというより、アプリケーションはユーザの要求に合わせられ、テレビに適合した情報を提供するウェブリソースへのポインター（Ｐｏｉｎｔｅｒ）であってよい。本発明における「メインアプリケーション」という概念はこのような実施形態を含むために広い範囲で解釈される。
【００３４】
コンテンツコンテキスト情報の他にも多様なコンテキスト情報がある。多様なコンテキスト情報のうちの一つはユーザである。ユーザに対する多様な情報は明示的に又は暗黙的に検索されてよい。例えば、年齢、性別、趣味、職業等のような情報を盛り込んでいるユーザ情報が保存されてよい。「ユーザコンテキスト情報」はユーザにどのような情報を検索して提供するかを決定するのに使われてよい。例えば、或る家族がアフリカに対するドキュメンタリー番組を視聴しているとすると、こどもにライオンやキリン、サイ等に対する絵情報（こどもの装置に直接伝達できる情報）を提供すると同時に、大人の装置には（又は共有装置）画面に見えない地域の歴史に対する原文情報が提供されることができる。このようなシステムは、コンテンツコンテキスト情報だけでなく、ユーザコンテキスト情報も含むことにより、上記のように、ユーザ一人ひとりに合った情報を各ユーザ装置に伝達することができる。
【００３５】
ユーザプロフィールは、明示的に示されたユーザコンテキスト情報の例である。しかし、ユーザコンテキスト情報は暗黙的なソースから推定されてよい。例えば、ユーザ装置のアプリケーション使用履歴（ローディングされたアプリケーションを含む）を検査することにより、ユーザがこども又は大人であると推定することができる。例えば、ユーザ装置に一般的にこどもがするゲームが多いと、そのユーザ装置のユーザはこどもであると推定することができるのである。
【００３６】
別のコンテキスト情報は、テレビや携帯電話、コンピュータのような装置である。このような装置に対する多様な情報は明示的に又は暗黙的に検索されてよい。例えば、装置プロフィールは、製造業者、プロセッサ速度、ディスプレイ特徴、入力装置などのような装置情報が保存されてよい。「装置コンテキスト情報」はユーザにどのような情報を検索して提供するかを決定するのに使われてよい。例えば、或る家族がコメディ番組を視聴しているところに、コメディ番組の主人公が登場する最近の作品に対する情報等主人公に関する情報を多様な装置に伝送することができる。このとき、他の装置より優れたプロセッシング速度、メモリ能力そしてディスプレイ特徴を有している装置があれば、主人公が出演している最近の映画のビデオ映像トレーラーは性能の優れた装置に提供され、それと同時に主演俳優の最新の映画に対する原文情報は他の装置に提供されるのが望ましい。
【００３７】
装置プロフィールは、明示的に示された装置コンテキスト情報の例であるが、装置コンテキスト情報は、暗黙的なソースから推定することもできる。例えば、ユーザ装置のメモリに高画質映像ファイルが多く保存されている場合、その装置は高画質映像を再生できる優れた性能を有していると推定することができる。
【００３８】
更に別のコンテキスト情報は、ユーザ装置が作動する環境である。このようなコンテキスト情報は、時間、温度、位置のような外部の環境情報と作動システム、同時に作動している別のアプリケーションのような内部の環境情報等、様々な事項を含んでよい。「環境コンテキスト情報」はユーザにどのような情報を検索して提供するかを決定するにの使われてよい。例えば、ユーザ装置の位置が「自宅」であれば、サブアプリケーションパートナーからダウンロードされる追加的なデータは装置の位置が「会社」の時よりは娯楽的な傾向が強い。
【００３９】
外部環境コンテキスト情報は、多様な外部センサ又はユーザ装置から検索されてよい。例えば、時間の場合には、主回路基板に位置した時計装置が用いられてよい。位置の場合には、全地球測位システム（ＧＰＳ）又は類似する追跡装置が用いられてよい。温度の場合には、温度センサが用いられてよい（代案として、位置情報は現在温度が検索され得る位置が分かる外部データベースから提供されてよい）。
【００４０】
更に別のコンテキスト情報は、ソーシャルネットワーキングデータである。例えば、ソーシャルネットワーキングウェブサイト又はデータストリームでユーザに対する状態情報を決定するためにユーザ状態情報が検索され、検索されたユーザ情報はユーザにどのような情報を検索して提供するかを決定するのに使われてよい。例えば、ユーザがフェースブック状態を「休暇中」に設定したならば、「勤務中」に設定している時とは異なる検索結果が提供される。
【００４１】
更に別のコンテキスト情報は、収益配分システム内にある構成体の間のビジネスパートナーシップである。例えば、コンテンツ提供者、アプリケーションストア及びアプリケーション開発者は契約を結ぶことができ、その契約の結果で引き出される情報は、収益の配分比率を決定するのに使われてよい。
【００４２】
一方、各々のコンテキスト情報は、他のコンテキスト情報に応じて相違の重み値（ｗｅｉｇｈｔｅｄ  ｖａｌｕｅ）が与えられてよい。例えば、両ユーザが同一の装置を作動する場合、ユーザによって相違する重み値が与えられてよい。
【００４３】
本発明の別の実施形態において、“ミドルウェア”フレームワークはサブアプリケーションからサブアプリケーションパートナーを分離させる（更には、或る実施形態ではサブアプリケーション業者から分離されたりもする）。フレームワークは、サブアプリケーションパートナーがサブアプリケーション業者を認識することが不要になるようにすることができ、その反対の場合も可能である。両客体はミドルウェアフレームワークＡＰＩｓと違って、簡単にプログラム化できる。このような方式で、Ｂｌｕ−ＲａｙやＮｅｔｆｌｉｘ、ＤＬＮＡメディア、ＷｉｓｅＬｉｎｋ、メディアでない、ウィジェットのようなアプリケーション又はソースは、サービス統合に必要な知識やマッシュアップ結果がなくても、サブアプリケーションのようなその他のサービスと共同で作業が可能である。更に、フレームワークは他のコンテキストと複数の装置のための統合のユーザインターフェースを自動で提供することができる。フレームワークは多様な人工知能エンジンを使用することにより、マイクロサービス検索結果のクォリティーを自動的に改善することができる。アルゴリズムは多様なコンテキスト情報に基づいて流動的にルックアップ（Ｌｏｃｋｕｐ）テーブルを含んでよい。
【００４４】  上述のプロセスとシステムを収益化するための多様なメカニズムを期待できる。一実施形態で、サブアプリケーションパートナーはシステム運営者、製造業者（例えば、サブアプリケーションストアの運営者）又はコンテンツデータを適切なメタデータとともにエンコードしたコンテンツ提供業者に補償できる。例えば、このような補償は、サブアプリケーションを使用した商品の購入に基づいて行うことができるが、ユーザがサブアプリケーションパートナーから商品を購入する際（（公序良俗違反につき、不掲載）で人形類の購入を例えることができる）、サブアプリケーションストアとメディア業者の収益が補償できるようにする。
【００４５】
別の実施形態で、このような補償は、商品の購入又は検索のために開いたページ数（クリック回数）に基づいてよいが、それに対する回数は、サブアプリケーションストアからサブアプリケーションに、サブアプリケーションからサブアプリケーションパートナーに受信される。クリックの度に、補償される方式は商品を販売せずにサブアプリケーションパートナーマッピングのように広告を基盤として収入を創出するサブアプリケーションパートナーにはより有効である。別の実施形態で、収益はサブアプリケーションパートナーと前記サブアプリケーションストア運営者、そしてコンテンツ提供業者との間におけるパートナーシップ契約に従って定期的に支払われる。
【００４６】
本発明の更に別の実施形態で、サブアプリケーションストアがコンテンツ提供業者にユーザのコンテンツを提供する新たな機会を創出する場合、コンテンツ提供業者（例えば、Ｎｅｔｆｌｉｘ）はユーザへのコンテンツ提供によって創出される収益をサブアプリケーションストア運営者と配分することができる。
【００４７】
本発明の更に別の実施形態で、広報推薦システムは、コンテンツ提供業者、サブアプリケーションストア運営者、サブアプリケーションパートナーを除く他の客体を含んでよい。例えば、このシステムはコンテンツ提供業者又はサブアプリケーションパートナーのいずれか一方のために収益が創出される場合にサブアプリケーションストアまでトラフィックを伝達する更なるウェブサイト（広報サイト）の所有者に収益を配分する過程を含んでよい。このようなシステムは、適切な信用を保証するために関連のＩＤを追跡するように構成されている。例えば、このような系列ＩＤは、ネットワークセッションの間に保存されたクッキーの一部として追跡されてよい。
【００４８】
本発明の更に別の実施形態で、特定のサブアプリケーションはユーザがサブアプリケーションストアから他のサブアプリケーションを購入したり、コンテンツを受信するように誘導するプレミアムサブアプリケーションと見なされてよい。それにより、創出された収益はコンテンツ提供業者及び／又はサブアプリケーションパートナーと共有される。
【００４９】
本発明の更に別の実施形態で、コンテンツ提供業者又はサブアプリケーションパートナーのいずれか一方からデジタル情報の貸し出し又は購入により創出された収益は、コンテンツ提供業者、サブアプリケーションストア運営者、及び／又はサブアプリケーションパートナーに配分されてよい。
【００５０】  上述のように、システム内の客体に与えられた収益の配分比率を流動的に変更するためのコンテキスト情報に依存して収益の配分が行われることができる。このような収益配分は配分が行われる形態に応じて異なるが、一般的に商品やサービスを購入しお薦めする一連の行動に参加する客体は収益の一定比率が配分されることができる。例えば、アプリケーションストア運営者とアプリケーション開発者との間で簡単に収益が配分されるよりは、サブアプリケーションパートナーも収益配分を受けることができる。例えば、（公序良俗違反につき、不掲載）サブアプリケーションは現在上映中の映画に対する（公序良俗違反につき、不掲載）ストリーミングビデオメインアプリケーションからコンテキスト情報検索ができるように実行される。このとき、（公序良俗違反につき、不掲載）サブアプリケーションは（公序良俗違反につき、不掲載）データベースから受けた関連商品情報が視聴者に提供されるようにすることができる。視聴者が商品を購入するとすれば、収益は（公序良俗違反につき、不掲載）（メインアプリケーション）、（公序良俗違反につき、不掲載）（サブアプリケーションパートナー）、そしてアプリケーションストア運営者との間で共有される。なお、視聴者が商品を直接購入せずに友達にお薦めして視聴者の友達が薦められた商品を購入するというケースもある。このような場合には、視聴者も収益配分の客体となる。
【００５１】
収益は、単なる商品購入以外の要素に基づいて配分されることもできる（例えば、商品評価の数に基づいて）。サブアプリケーションパートナーに単に商品販売の機会が提供されることについて、参加者に収益を配分するか否かを決定することができる。即ち、サブアプリケーションパートナーは、商品の一つが視聴者に見せられる度にアプリケーションストア運営者及び／又はメインアプリケーションパートナーにお金を支払うことができる。
【００５２】
なお、本発明の一実施形態において、コンテキスト情報自体は収益配分のパラメータを変更することができる。伝統的な広告とは違って、収益配分パラメータはまったく同じ環境下でいろんな視聴者に商品をディスプレイするために存在する。例えば、視聴者Ａ、Ｂが同一の形態の装置に同時に同じ映画を視聴しているとしても、視聴者Ｂに該当する収益配分パラメータと視聴者Ａに該当する収益配分パラメータとは異なってよい。このような収益共有パラメータの基盤となるコンテキスト情報は実行の度に毎回異なる。例えば、年齢、性別、趣味のようなユーザプロフィール情報は、各ユーザによって商品が互いに異なる収益共有パラメータを有するように利用されてよい。それにより、サブアプリケーションパートナーは、購入確率の高いユーザの場合には、より高い比率の収益を支給することができるが、このような顧客は中核人口統計集団の中で常連になる可能性がある人びとである。
【００５３】
コンテキスト情報に基づいた収益共有パラメータは、ユーザ情報の他の要因にも影響されてよい。例えば、視聴者が夜に商品を購入する傾向があるため、サブアプリケーションパートナーは昼よりは夜により高い比率の収益を支払うと決めることができる。同様に、サブアプリケーションパートナーは同じ理由により、天気のよい日よりは天気のよくない日により高い比率の収益を支払うと決めてよい。
【００５４】
収益共有パラメータはどのようなコンテキスト情報が選択されるかに応じてリアルタイムで変更されてよい。収益共有パラメータは受動的に指定されたり、アルゴリズムを使って決定されてよい。収益共有パラメータはすべての参加者が含まれ得る最高の結果を提供するため、簡単に最適化できる完全な流動システムを許容する。
【００５５】
一実施形態では、収益の流れの中で上述より多くの構成体を共有することができる。例えば、関連サブアプリケーション又は関連のサブアプリケーションを有する「中間パートナー」はメインアプリケーション又はサブアプリケーションによって再生中かディスプレイ中のコンテンツを遮断することができ、更なるコンテキストとともにコンテンツのコンテキストを増加させることができる。すると、中間パートナーは収益で、流動的に与えられた収益比率を共有することができる。
【００５６】
図１は、本発明の一実施形態に係る収益配分システムについて説明するための図である。
【００５７】  図１に示すように、アプリケーションストア１００は無料又は有料ダウンロードするためにサブアプリケーション１０４とメインアプリケーション１０２を提供することができる。このような例には、メインアプリケーションに該当する（公序良俗違反につき、不掲載）注文型ビデオ１０６と、（公序良俗違反につき、不掲載）ストリーミングビデオ１０８と、ブロックバスターストリーミングビュー１１０及び（公序良俗違反につき、不掲載）ストリーミングビデオ１１２がある。
【００５８】  なお、サブアプリケーションに該当する（公序良俗違反につき、不掲載）ストア１１４と、（公序良俗違反につき、不掲載）１１６と、（公序良俗違反につき、不掲載）１１８と、（公序良俗違反につき、不掲載）１２０が提供される。図１に示された各々のメインアプリケーション及びサブアプリケーションは説明の便宜上の例に過ぎず、他の多様なアプリケーションを用いることができることはいうまでもない。各々のサブアプリケーション１０４は一つ又はそれ以上のメインアプリケーション１０２に登録されてよい。本実施形態では潜在的な多様な収益の流れがあってよい。まず、ユーザがメインアプリケーションを購入しダウンロードした際、アプリケーションストアはメインアプリケーションパートナーと収益を共有することができる。これは、ルート１２２で説明できる。ここで、収益共有は各ユーザ、各装置又は各取引に基づいてよい。そして、収益配分比率はコンテキスト情報に基づいてリアルタイムで異なってよい。
【００５９】
メインアプリケーションは、サブアプリケーションにアプローチすることができ、サブアプリケーションはメインアプリケーションに登録されている。サブアプリケーションがメインアプリケーションと連結されるために、登録が必須であるわけではないが、登録過程を通じてサブアプリケーションは収益の流れの一部分であることを自ら報知するようになる。メインアプリケーションはどのサブアプリケーションを表示するか、どのような順に表示するか、どのようなプレゼンテーションスタイルとプレビューを行うか、サブアプリケーションが表示される部分等を決定することができる。ユーザがサブアプリケーションを購入すると、アプリケーションストア１００からメインアプリケーションパートナー１２４とサブアプリケーションパートナー１２６と共有の収益を創出することができる。無論、収益共有パラメータサブアプリケーションが表示される順、プレゼンテーションスタイル、そしてプレビューに基づいて異なってよい。例えば、ユーザの目によくつくように表示されたり、頻繁に再生されるサブアプリケーション（再生目録から上方にあるか、特別のポントや書式である場合）は、相対的に目立たなかったり、少なく再生されるサブアプリケーションより高い比率の収益を前記メインアプリケーションパートナーに提供することができる。１２８は、登録されたサブアプリケーション購入により創出された収益をメインアプリケーションパートナーと共有することを示している。１３０は、同一のサブアプリケーション購入により創出された収益をサブアプリケーションパートナーと共有することを示す。更に、装置パラメータ、即ち、装置コンテキスト情報がそれ自体で収益配分比率を変化させる。例えば、６５インチのテレビに放映される広告の価格は、３２のインチテレビに放映される広告と３インチの携帯電話にディスプレイされる広告とは異なるように計算されてよい。
【００６０】
別の収益の流れは、サブアプリケーションのマイクロ機能によって発生する。それは、マイクロ機能を用いた商品の購入を含むが、商品の購入と無関係の活動も含む。例えば、サブアプリケーションパートナーはマイクロ機能を通じて行われるすべての検索に対してメインアプリケーションパートナーに補償することができる。このように、１３２は、サブアプリケーションパートナーに伝達される一定比率の収益を示す。サブアプリケーションパートナーはサブアプリケーション１２０を通じて商品の購入要請を既に受けている状態である。収益は、Ｂｅｓｔ  Ｂｕｙ１３２からアプリケーションストア１００に伝達されるが、その次にアプリケーションストア１００は収益の一部又は全部を適切なメインアプリケーションパートナーに配分する（このような収益配分は１３４に示す）。ユーザ１３６がマイクロ機能を通じて薦めた商品をユーザ１４０が最終的に購入した場合、ユーザ１３６又はマイクロ機能を通じた購入による収益配分を受けることができる。
【００６１】
収益配分比率は、上述の要素に基づいて流動的に変更されるということに注目すべきである。上述の要素に基づいて更なる補償のような観点で調整することができる。例えば、アプリケーションストアはアプリケーションストアにあるアプリケーションをより頻繁に目につくようにすることで、サービス提供者に補償することができる。補償の比率が、即ち、収益配分比率が流動的に調整されるだけでなく、補償の形態も流動的に調整できる。
【００６２】
多様な収益の流れの追跡は、多様な方法で実行されてよい。一実施形態で、収益の流れに参加することを望む客体（メインアプリケーションパートナー、サブアプリケーションパートナー、ユーザを含む）は、アプリケーションストアに登録でき、アプリケーションストはアプリケーションストアによって維持されるマトリックスに基づいてアプリケーションストアが収益配分を管理する。別の実施形態では、第三者による収益配分管理サービスが使われてよい。
【００６３】
本発明の別の実施形態で、収益配分比率を変更するためにコンテキスト情報自体が使われるわけではなく、コンテキスト情報の量が使われてよい。例えば、コンテキスト情報を多く共有している装置は、コンテキスト情報を少なく共有している装置よりユーザのためにより高い比率の収益を受けることができる。同様に、メインアプリケーションに戻る多くの量のコンテキスト情報を提供するサブアプリケーションパートナーはメインアプリケーションに戻る少ない量のコンテキスト情報を提供するサブアプリケーションパートナーより高い比率の分け前をもらうことができる。それと類似の概念が“クォリティー”にも適用可能である。例えば、特定のメートル法（Ｍｅｔｒｉｃ）に基づいて、結果を早めに出したり、より多くの関連結果を出すサブアプリケーションは、そうでないサブアプリケーションより多くの補償を受けることができる。
【００６４】
本発明の更に別の実施形態で、収益配分比率を決定する際、ユーザフィードバックが考慮されてよい。例えば、ユーザが検索結果に長い時間接続していたり、その結果を単に見たというよりは友達と検索結果を共有し、お気に入りに追加したり、その他の方法で上記結果により長く接続していた場合、前記結果提供者は高い収益共有比率で高い補償を受けることができる。
【００６５】
図２は、本発明の一実施形態に係る方法を示すフローチャートである。ステップ２００において、メインアプリケーションコンテンツは第１装置にあるメインアプリケーションを用いてディスプレイされるが、メインアプリケーションはメインアプリケーションパートナーに関わっており、アプリケーションストアからダウンロードされる。ステップ２０２において、サブアプリケーションは第１装置で再生されるメインアプリケーションコンテンツと同時に実行される。ステップ２０４は、第１装置の収益創出イベントに関する。収益創出イベントは誰かに直接的又は間接的に収益創出を行えるならいかなるものであってよい。最も普通の例は、サブアプリケーションのインターフェースを用いつつ、商品、サービス、サブアプリケーション、又はメインアプリケーションにある第１装置のユーザによる購入である。別の例として、補償の提供を希望するサブアプリケーションパートナーがサブアプリケーションでリンクをディスプレイするようなイベント又は他のユーザによる購入も含む。
【００６６】
ステップ２０６においては、現在のコンテキスト情報が検索される。このコンテキスト情報は多様な方法により検索される。一実施形態で、メインアプリケーションコンテンツコンテキスト情報はコンテンツファイル又はメディアストリーム内にメタデータとして内蔵され、サブアプリケーションはこの内蔵されているコンテキスト情報を検索して使用又は読み取ることができる。別の実施形態で、メインアプリケーションコンテンツコンテキスト情報は、サブアプリケーション単独で、又は別のアプリケーションに関連して、メインアプリケーションコンテンツコンテキスト情報は単独で又は分離された装置（インターネットを通じてサブアプリケーションによって情報が要請されるサーバのような装置）で実行される他のアプリケーションに関連して検索又は推論されてよい。
【００６７】
ステップ２０８において、前記収益創出イベントに関連した日程比率の共有収益は現在のコンテキスト情報に基づいてアプリケーションストア、メインアプリケーションパートナー、サブアプリケーションパートナーの各々に流動的に配分されてよい。別の実施形態として、１以上のユーザも一定比率の配分を受けることができるということに注目すべきである。例えば、ユーザが収益創出イベントに対して最終的に引き出された結果を他のユーザに薦めると、ユーザも一定比率の配分を受けることができる（推薦に基づいて他のユーザが購入した場合）。ステップ２１０において収益創出イベントに関連する収益は流動的に決定された配分比率に基づいてアプリケーションストア、メインアプリケーションパートナー及びサブアプリケーションパートナーに共有されるようにする。一つ又はそれ以上のユーザも力学的に一定比率に割り当てられるいくつかの実施形態ではユーザも決定された配分比率に応じて、このステップで収益を受けることができる。
【００６８】
図３は、本発明の一実施形態に係る装置の構成を示すブロック図である。一実施形態では、このような装置３００は、プロセッサ３０２と、メモリ３０４と、ファームウェア３０６と、集積回路３０８と、プログラムロジック３１０と、保存部３１２と、ディスプレイ３１４と、ユーザインターフェースモジュール３１６及び通信モジュール３１８を含む。ここで、通信モジュール３１８はネットワークインターフェース装置又は無線ラジオ送／受信機であってよい。
【００６９】
図４は、発明の別の実施形態に係る装置の構成を示すブロック図である。プロセッサ４００は、本発明の多様な機能を行うように各構成を制御することができる。メインアプリケーション４０２はメインアプリケーションコンテンツをディスプレイ４０４にディスプレイするように実行されてよい。サブアプリケーション４０６は、ディスプレイ４０４にディスプレイされているメインアプリケーションコンテンツと同時に実行されてよい。コンテキスト検索部４０８は現在のコンテキスト情報を検索するように構成されてよい。なお、コンテキスト検索部４０８は現在の情報を収集できる時計、温度計、ＧＰＳ装置のようなハードウェアセンサを少なくともいずれか一つを含んでよい。
【００７０】
収益創出イベント検知部４１０は、サブアプリケーション４０６による収益創出イベントを検知することができる。収益配分インターフェース４１２は収益創出イベント検知部４１０がサブアプリケーションによる収益創出イベントを検知すると、収益配分主体で現在のコンテキスト情報を伝送することができる。そして、前記収益配分主体が現在のコンテキスト情報に基づいて共有収益を前記アプリケーションストア、前記メインアプリケーションに関連するメインアプリケーションパートナー、前記サブアプリケーションに関連するサブアプリケーションパートナーの各々に流動的に配分することができる。収益創出イベントに関連する収益は流動的に決定された配分比率に基づいて共有されてよい。ここで、収益配分主体とは、収益を直接的に収益配分客体に配分する主体のことを意味し、サーバ又はプロセッサ等の別途の分離された装置であってよい。
【００７１】
図５は、発明の更に別の実施形態に係るユーザ装置の構成を示すブロック図である。
図５に示すように、ユーザ装置１００は、アプリケーション実行部１１０と、収益創出イベント検知部１２０と、コンテキスト検索部１３０及びインターフェース部１４０を含む。
【００７２】
アプリケーション実行部１１０は、メインアプリケーション及びサブアプリケーションを実行する。具体的に、アプリケーション実行部１１０はコンテンツを提供するメインアプリケーション及びメインアプリケーションに関連する付加機能を提供するサブアプリケーションを実行することができる。上述のように、メインアプリケーションはメインアプリケーションコンテンツを実行又は再生させ、サブアプリケーションはメインアプリケーションに登録されてマイクロ機能（又は付加機能）を行うアプリケーションである。具体的に、マイクロ機能とは、コンテンツに関連するコンテキスト情報の提供、又はコンテンツに関連する商品の広告又は購入機能を提供することをいう。
【００７３】
収益創出イベント検知部１２０は、サブアプリケーションを通じた収益創出イベントの発生有無を検知する。ここで、収益創出イベントとは、サブアプリケーションを通じての商品（サービス）の購入又は商品購入のための広告の提供を意味する。
【００７４】
コンテクスト検索部１３０は、収益創出イベントに関連するコンテキスト情報を検索する。具体的に、収益創出イベント検知部１２０から収益創出イベントが検知されると、コンテキスト検索部１３０は収益の配分比率を決定するために収益創出イベントに関連するコンテキスト情報を検索することができる。
【００７５】
ここで、コンテキスト情報は、上述のように、メインアプリケーション、サブアプリケーション、コンテンツ、ユーザ、ユーザ装置、ユーザ装置の周辺環境、収益配分客体間の契約関係及びユーザ又はユーザ装置のソーシャルネットワーキングデータのうち、少なくともいずれか一つに対する情報であってよい。
【００７６】
インターフェース部１４０はサーバに接続される。具体的に、インターフェース部はサーバと接続されてコンテキスト検索部１３０から検索されたコンテキスト情報をサーバに伝送する。インターフェース部１４０は、Ｗｉ−Ｆｉ、ブルートゥース（Ｂｌｕｅｔｏｏｔｈ（登録商標））、ＩＲＤＡ（Ｉｎｆｒａｒｅｄ  Ｄａｔａ  Ａｓｓｏｃｉａｔｉｏｎ）、ＲＦ（Ｒａｄｉｏ  Ｆｒｅｑｕｅｎｃｙ）、ＩＥＥＥ  ８０２．１１、ＷＬＡＮ、ＨＲ  ＷＰＡＮ、ＵＷＢ、ＬＲ  ＷＰＡＮ、ＩＥＥＥ  １３９４等のような無線通信方法又はＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、Ｉ２Ｃ、ＩＥＥＥ  １３９４等の有線通信方法を使ってサーバと通信することができる。
【００７７】
図６は、本発明の更に別の実施形態に係るサーバの構成を示すブロック図である。図６に示すように、サーバ２００は、インターフェース部２１０及び収益配分部２２０を含む。
【００７８】
インターフェース部２１０は、ユーザ装置からコンテキスト情報を受信する。具体的に、ユーザ装置１００のインターフェース部１４０からコンテキスト情報を受信する。受信するコンテキスト情報はコンテキスト検索部１３０から検索された収入創出イベントに関連するコンテキスト情報である。
【００７９】
収益配分部２２０は、インターフェース部２１０から受信されたコンテキスト情報に基づいて収益配分比率を決定し、決定された配分比率に応じて収益を配分する。上述のように、収益配分比率は様々な要素によって決定されてよく、流動的に変更されてよい。
【００８０】
ここで、収益配分客体は、アプリケーションストア、メインアプリケーションパートナー、サブアプリケーションパートナーのうち、少なくともいずれか一つであってよい。なお、ユーザが他のユーザに商品（又はサービス）の推薦等を通じて収益創出の流れに参加した場合には、少なくとも一つのユーザが更に含まれてよい。
【００８１】
一方、図５及び図６においては、収益配分システムに含まれたユーザ装置及びサーバが各々別個の装置であるとして説明したが、ユーザ装置がサーバの機能を同時に行う場合にはそれらの装置は一つの装置で実現されてよい。一つの装置で実現される場合には、インターフェース部１４０、２１０の構成は省略可能である。
【００８２】
図７は、本発明の別の実施形態に係るシステムの収益配分方法を示すフローチャートである。
【００８３】
図７によると、ユーザ装置でメインアプリケーション及びサブアプリケーションが実行される（Ｓ７１０）。ここで、メインアプリケーションはユーザにコンテンツを提供し、サブアプリケーションはメインアプリケーションに関連する付加機能を提供する。付加機能とは、コンテンツに関連するコンテキスト情報の提供又はコンテンツに関連する商品の広告又は購入機能のことを意味する。
【００８４】
そして、収益創出イベントが発生すると（Ｓ７２０）、ユーザ装置からコンテキスト情報を検索する（Ｓ７３０）。具体的に、収益の流れに参加した客体に対する配分比率を決定するために収益創出イベントに関連するコンテキスト情報を検索する。収益創出イベントは、サブアプリケーションを通じた商品の購入又は商品購入のための広告の提供を意味する。その後、ステップＳ７３０で検索されたコンテキスト情報に基づいて収益配分客体に対する収益創出イベントによる収益の配分比率を決定する（Ｓ７４０）。そして、決定された配分比率に応じて収益を配分する（Ｓ７５０）。
【００８５】
図８は、本発明の一実施形態に係るユーザ装置の制御方法を示すフローチャートである。
【００８６】
図８によると、ユーザ装置はメインアプリケーション及びサブアプリケーションが実行され（Ｓ８１０）、収益創出イベントが発生すると（Ｓ８２０）、収益創出イベントに関連するコンテキスト情報を検索する（Ｓ８３０）。ここで、ユーザ装置は検索されたコンテキスト情報を外部装置に伝送する（Ｓ８４０）。ここで、外部装置は収益配分のためのサーバであってよい。
【００８７】
図９は、本発明の一実施形態に係るサーバの収益配分方法を示すフローチャートである。
【００８８】
図９によると、まず、外部装置からコンテキスト情報を受信する（Ｓ９１０）。受信されたコンテキスト情報は収益創出イベントに関連するコンテキスト情報である。具体的に、外部装置からメインアプリケーション及びメインアプリケーションに関連する付加機能を提供するサブアプリケーションの駆動中である状態で、サブアプリケーションを通じて収益創出イベントが発生すると、外部装置は収益創出イベントに関連するコンテキスト情報を検索する。そして、受信されたコンテキスト情報に基づいて収益配分客体に対する収益の配分比率を決定し（Ｓ９２０）、決定された収益配分比率に応じて収益を配分する（Ｓ９３０）。一方、図８及び図９に係る方法は、上述のように、一つの装置によって行われてよい。
【００８９】
本発明の一実施形態において、上述のシステムはクライドまで拡張される。例えば、加工されていないコンテキスト情報は他の多くの装置から検索されてよい。消費者はデジタル資産の量を蓄積していき、より多くのインターネットサービスを使用している。消費者は普通一つ以上の装置を用いてこのような装置及びサービスにアクセスする。普通の消費者は情報とメディアにアクセスして収集するが、利用するデスクトップ、携帯用コンピュータ、携帯電話等を持っていてよい。膨大な量のサービスとコンテンツがウェブ上で毎日利用可能である限り、このような傾向は続くだろう。このような情報及びサービスは各種ユーザ装置に散在しているだけでなく、クラウドとして知られる多様かつ非形式的な情報のグループが存在する。クラウドは制御を基盤とする形式的又は非形式的な情報のグループである。本発明も類似する方式で上述の増加しているコンテキストシステムを拡張することができる。なお、テレビ又は携帯電話のような装置とは対照的に、収益共有イベントを検知又は創出するロジックはクライド内に位置してよい。
【００９０】
上述のような実施形態は、プロセッサによって実行される指示、ソフトウェアモジュール、マイクロコード、コンピュータが認識可能な媒体に保存されたコンピュータプログラム、ロジック回路、アプリケーション特化集積回路、ファームウェア、消費者電子装置のような多様な方法で実行されてよく、無線装置、無線送／受信機又は他の無線ネットワークに適用されてよい。なお、上述の方法とシステムの実子形態は、ハードウェア又はソフトウェアとハードウェアのいずれも含む実施形態で実現されてよい。
【００９１】
「コンピュータが認識可能な媒体」という用語は、メインメモリ、２次メモリ、リムーバブル保存装置、ハードディスク、フラッシュメモリ、デスクドライブメモリ、ＣＤ−ＲＯＭそして、他の永久的メモリのような媒体を指す一般的に使われる用語である。本発明に開示された多様な方法を実行するためのコンピュータプログラムコードを含む保存装置は搬送波又は搬送波信号のような一時的なものを含むものとして理解されるべきではない。プログラム保存装置及びコンピュータが認識可能な媒体は、メインメモリ、２次メモリ、リムーバブルディスク、ハードディスクドライブ又はその他の保存装置に触れるために使われた用語である。
【００９２】
なお、上述の本発明の多様な実施形態に係る方法を行うためのプログラムは多様な類型の記録媒体に保存されて使われてよい。
【００９３】
具体的には、上述の方法を行うためのコードは、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、ハードディスク、リムーバブルディスク、メモリカード、ＵＳＢメモリ、ＣＤ−ＲＯＭなどのように、多様な類型の非揮発性の記録媒体に保存されていてよい。
【００９４】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００９５】
１０２  メインアプリケーション
１０４  サブアプリケーション
１１０  アプリケーションストア
１２４  メインアプリケーションパートナー
１２６  サブアプリケーションパートナー
１３６  ユーザ
１４０  ユーザ
【図１】
2012234545.tif 000003
【図２】
2012234545.tif 000004
【図３】
2012234545.tif 000005
【図４】
2012234545.tif 000006
【図５】
2012234545.tif 000007
【図６】
2012234545.tif 000008
【図７】
2012234545.tif 000009
【図８】
2012234545.tif 000010
【図９】
2012234545.tif 000011